(57)【要約】【課題】  角柱体の補強を容易且つ確実に行うことができる角柱体の補強カバーを提供する。【解決手段】  建築構造用の角柱体５０の側面を被覆して補強する補強カバーで１あって、角柱体５０の各側面５２を覆う複数の側板１２が折り部２０を介して一方向に連接されたカバー本体１０を備え、カバー本体１０は、折り部２０で折り曲げて両端部１４，１４を突き合わせることにより角筒状となるように構成されており、折り部２０は、溝底壁３２および一対の溝側壁３４を備え側板１２の連接方向と直交する方向に延びる溝部３０と、溝底壁３２から先細に突出するように溝部３０内に形成された断面三角形状の補強部４０とを備えており、一対の溝側壁３４は、カバー本体１０の折り曲げにより互いに当接する第１の当接部３４１と、カバー本体１０の折り曲げにより補強部４０の斜面に当接する第２の当接部３４２とを備える。【選択図】  図３
2014163037.tif 000002
【特許請求の範囲】
【請求項１】
建築構造用の角柱体の側面を被覆して補強する補強カバーであって、
角柱体の各側面を覆う複数の側板が折り部を介して一方向に連接されたカバー本体を備え、前記カバー本体は、前記折り部で折り曲げて両端部を突き合わせることにより角筒状となるように構成されており、
前記折り部は、溝底壁および一対の溝側壁を備え前記側板の連接方向と直交する方向に延びる溝部と、前記溝底壁から先細に突出するように前記溝部内に形成された断面三角形状の補強部とを備えており、
一対の前記溝側壁は、前記カバー本体の折り曲げにより互いに当接する第１の当接部と、前記カバー本体の折り曲げにより前記補強部の斜面に当接する第２の当接部とを備える角柱体の補強カバー。
【請求項２】
前記カバー本体は、折り曲げにより正方形状の角筒状となる請求項１に記載の角柱体の補強カバー。
【請求項３】
前記カバー本体は、角柱体の側面の略中央で両端部が突き合わされるように構成されている請求項１または２に記載の角柱体の補強カバー。
【請求項４】
建築構造用の角柱体の側面を、請求項１から３のいずれかに記載の補強カバーにより被覆して補強する方法であって、
角柱体を水平に配置した状態で、前記角柱体の上面に接着剤を塗布するステップと、
前記補強カバーのいずれかの前記側板を、前記接着剤を介して前記角柱体に密着させた後、前記補強カバーにより前記角柱体の全体を被覆するステップとを備える角柱体の補強方法。
【発明の詳細な説明】
【技術分野】
【０００１】
本発明は、角柱体の補強カバーおよび補強方法に関し、より詳しくは、柱、梁、桁などのような建築構造用の角柱体を補強するのに好適な角柱体の補強カバーおよび補強方法に関する。
【背景技術】
【０００２】
建築構造物の耐震性などを高めるため、柱や梁などの角柱体を補強部材で補強することが従来から行われている。例えば、特許文献１には、柱などの被補強箇所に被接着繊維シートを接着した後、この被接着繊維シートの上から被補強箇所に被巻き付け繊維シートを巻き付ける柱状建築部材の補強方法が開示されている。
【先行技術文献】
【特許文献】
【０００３】
【特許文献１】特開２０１１−４３０２１号公報
【発明の概要】
【発明が解決しようとする課題】
【０００４】
ところが、上記従来の補強方法は、被巻き付け繊維シートを被補強箇所に対して周方向に複数回巻き付ける必要があるため、多数の被補強箇所を補強する場合や長尺の柱全体を補強するような場合には、巻き付け作業が煩雑で時間がかかるという問題があった。
【０００５】
そこで、本発明は、角柱体の補強を容易且つ確実に行うことができる角柱体の補強カバーおよび補強方法の提供を目的とする。
【課題を解決するための手段】
【０００６】
本発明の前記目的は、建築構造用の角柱体の側面を被覆して補強する補強カバーであって、角柱体の各側面を覆う複数の側板が折り部を介して一方向に連接されたカバー本体を備え、前記カバー本体は、前記折り部で折り曲げて両端部を突き合わせることにより角筒状となるように構成されており、前記折り部は、溝底壁および一対の溝側壁を備え前記側板の連接方向と直交する方向に延びる溝部と、前記溝底壁から先細に突出するように前記溝部内に形成された断面三角形状の補強部とを備えており、一対の前記溝側壁は、前記カバー本体の折り曲げにより互いに当接する第１の当接部と、前記カバー本体の折り曲げにより前記補強部の斜面に当接する第２の当接部とを備える角柱体の補強カバーにより達成される。
【０００７】
この角柱体の補強カバーにおいて、前記カバー本体は、折り曲げにより正方形状の角筒状となることが好ましい。また、前記カバー本体は、角柱体の側面の略中央で両端部が突き合わされるように構成されていることが好ましい。
【０００８】
また、本発明の前記目的は、建築構造用の角柱体の側面を、上記の補強カバーにより被覆して補強する方法であって、角柱体を水平に配置した状態で、前記角柱体の上面に接着剤を塗布するステップと、前記補強カバーのいずれかの前記側板を、前記接着剤を介して前記角柱体に密着させた後、前記補強カバーにより前記角柱体の全体を被覆するステップとを備える角柱体の補強方法により達成される。
【発明の効果】
【０００９】
本発明によれば、角柱体の補強を容易且つ確実に行うことができる角柱体の補強カバーおよび補強方法を提供することができる。
【図面の簡単な説明】
【００１０】
【図１】本発明の一実施形態に係る角柱体の補強カバーを展開した平面図である。
【図２】図１に示す角柱体の補強カバーの要部断面図である。
【図３】図１に示す角柱体の補強カバーにより補強された角柱体の断面図である。
【図４】図１に示す角柱体の補強カバーを用いて角柱体を補強する方法の一例を示す工程図である。
【発明を実施するための形態】
【００１１】
以下、本発明の実施の形態について、添付図面を参照して説明する。図１は、本発明の一実施形態に係る角柱体の補強カバーを展開した平面図である。図１に示すように、補強カバー１は、複数の側板１２が折り部２０を介して一方向に連接されることにより、全体として矩形状に形成されたカバー本体１０を備えている。折り部２０は、各側板１２の連接方向と直交する方向に延びており、隣接する側板１２，１２同士が各折り部２０で略直角になるように折り曲げることにより、カバー本体１０の両端部１４，１４が突き合わされて、カバー本体１０が四角筒状となるように構成されている。
【００１２】
図２は、図１に示すカバー本体１０において、折り部２０の近傍を示す断面図である。カバー本体１０は、合板やＭＤＦ（中密度繊維板）などからなる基材１２１の表面に、化粧シートなどの表面材１２２を貼着して形成されている。折り部２０は、溝底壁３２および一対の溝側壁３４，３４を備える溝部３０と、溝部３０内に形成された補強部４０とを備えている。溝部３０および補強部４０は、カバー本体１０の全体にわたって直線状に形成されている。
【００１３】
各溝側壁３４は、それぞれ第１の当接部３４１および第２の当接部３４２を備えており、第２の当接部３４２は、表面材１２２に沿う平坦な溝底壁３２から略直角に起立するように形成されている。第１の当接部３４１は、第２の当接部３４２から開口に向けて、一対の溝側壁３４，３４間の溝幅をテーパ状に拡げるように形成されている。
【００１４】
補強部４０は、溝底壁３２から先細に突出するように溝部３０の内部に形成されており、頂部の両側に一対の斜面４２，４２を有する断面三角形状に形成されている。隣接する側板１２，１２同士を略直角に折り曲げ可能にするため、溝部３０の第２の当接部３４２と補強部４０の斜面４２とのなす角度は、それぞれ約４５°に設定されており、折り曲げによって第２の当接部３４２と斜面４２とが互いに当接すると共に、対向する第１の当接部３４１，３４１が互いに当接する。
【００１５】
上記の構成を備える折り部２０は、例えば、ダブルカットと呼ばれる公知の２列のＶカット加工を基材１２１に施して形成することができ、これらＶカット溝間の切り残し部分を補強部４０とすることで、上記形状を有する溝部３０および補強部４０を同時に形成することができる。
【００１６】
図３は、本実施形態の角柱体の補強カバー１により補強された角柱体５０の断面図である。角柱体５０は、矩形状の断面を有する建築構造用の柱、梁、桁などを例示することができ、４つの側面５２が補強カバー１の側板１２でそれぞれ被覆される。各折り部２０は、略直角に折り曲げられることで、第１の当接部３４１および第２の当接部３４２がそれぞれ第１の当接部３４１および斜面４２に当接し、溝部３０が消失する。また、カバー本体１０の両端部１４，１４は、角柱体５０の一側面５２に沿って互いに突き合わされた状態になる。カバー本体１０の突き合わせを確実にするため、両端部１４，１４を備える側板１２，１２が当接状態で僅かに弾性収縮するように、角柱体５０に対するこれら側板１２，１２の長さが適宜設定されることが好ましい。
【００１７】
本実施形態の角柱体の補強カバー１によれば、カバー本体１０を折り部２０で折り曲げて角柱体５０を被覆することにより、角柱体５０を容易に補強することができる。また、それぞれの折り部２０が補強部４０を備えることにより、カバー本体１０の両端部１４，１４同士を突き合わせて角筒状にした際に、各側板１２に内方への撓み変形を生じ易くすることができ、これによって角柱体５０の補強効果を高めることができる。カバー本体１０の折り曲げにより形成される角筒状の形状は、必ずしも四角筒状に限定されるものではなく、三角形状や五角形以上の多角形状であってもよいが、均一な補強効果を得るために正多角形状であることが好ましく、特に正方形状の角筒状であることが好ましい。また、両端部１４，１４の突き合わせ位置は、角筒状の角柱体５０のいずれかの側面５２における略中央であることが好ましい。
【００１８】
補強カバー１の材質は、角柱体５０が木材からなる場合には、カバー本体１０を不燃材や耐火材などから形成して、火災時における強度の維持を図ることができる。また、角柱体５０が鋼材やコンクリートからなる場合には、カバー本体１０の表面材１２２を木目調などとすることで、木質の仕上がりにすることができる。リフォーム時などにおいては、基礎となる柱や梁に補強カバー１を被覆して再利用することが好ましく、資源や手間の削減を図ることができる。
【００１９】
次に、本実施形態の角柱体の補強カバー１により角柱体５０を補強する方法の一例を、図４を参照して説明する。まず、図４（ａ）に示すように角柱体５０を水平に配置し、両面テープ等の粘着材６０を、角柱体５０の角部の長手方向に沿って連続的または断続的に貼着する。粘着材６０は、後述する補強カバー１の突き合わせ位置となる角柱体５０の下面中央にも貼着する。そして、角柱体５０の上面に液状の接着剤７０を塗布する。角柱体５０に反りが生じている場合には、接着剤７０の保持を容易にするため、角柱体５０を下方に湾曲するように水平配置することが好ましい。
【００２０】
ついで、図４（ｂ）に示すように、補強カバー１の中央に位置する側板１２を、粘着材６０および接着剤７０を介して角柱体５０の上面に密着させた後、この側板１２の両側の折り部２０，２０でカバー本体１０を折り曲げて、角柱体５０の両側面に沿って垂下させる。角柱体５０の両側面と側板１２，１２との接着は、粘着材６０を介して行われ、更に、角柱体５０の上面と側板１２との密着により角柱体５０の上面から溢れた接着剤７０を介して行うことができる。
【００２１】
次に、カバー本体１０の一方の端部１４を備える側板１２を矢印のように折り曲げてから、図４（ｃ）に示す矢印のようにカバー本体１０の他方の端部１４を備える側板１２を折り曲げることにより、カバー本体１０の両端部１４，１４を、突き合わせ状態で角柱体５０の下面中央の粘着材６０に貼着する。こうして、補強カバー１による角柱体５０の補強が完了する。
【００２２】
本実施形態の角柱体５０の補強方法によれば、角柱体５０の補強を容易に行うことができると共に、角柱体５０に反りが生じている場合にも、補強カバー１の被覆により反りを緩和して、確実に補強することができる。但し、本発明の補強カバーによる角柱体の補強は、このような方法に限定されず、例えば、垂直に起立する既存の柱などに対して、本発明の補強カバーを直接被覆することも可能である。
【符号の説明】
【００２３】
１  角柱体の補強カバー
１０  カバー本体
１２  側板
１４  端部
２０  折り部
３０  溝部
３２  溝底壁
３４  溝側壁
３４１  第１の当接部
３４２  第２の当接部
４０  補強部
４２  斜面
【図１】
2014163037.tif 000003
【図２】
2014163037.tif 000004
【図３】
2014163037.tif 000005
【図４】
2014163037.tif 000006